(57)【特許請求の範囲】
【請求項１】
汚染された土壌を表面研磨することにより汚染物質を除去する汚染土壌の浄化方法であって、
汚染された土壌の汚染物質が農薬であり、
汚染土壌の表面研磨を、吸着剤の存在下に行うことを特徴とする汚染土壌の浄化方法。
【請求項２】
吸着剤が粒子あり、その吸着剤粒子のメジアン径（ｄ９０）が、汚染土壌の最小粒径より５μｍ以上小さいこと請求項１に記載の浄化方法。
【請求項３】
吸着剤粒子のメジアン径（ｄ９０）が、３０〜６０μｍの範囲にある請求項２に記載の浄化方法。
【請求項４】
吸着剤が、活性炭又はゼオライトである請求項１〜３のいずれか１項に記載の浄化方法。
【請求項５】
汚染土壌の表面研磨を乾式で行う請求項１〜４のいずれかに記載の浄化方法。
【請求項６】
汚染土壌の表面研磨を湿式で行う請求項１〜４のいずれかに記載の浄化方法。
【請求項７】
汚染土壌の表面研磨を行う前に、汚染土壌を分級処理して、吸着剤粒子のメジアン径（ｄ９０）より５μｍ以上大きな粒子の処理土壌を得、これを表面研磨する請求項１〜６のいずれかに記載の浄化方法。
【発明の詳細な説明】
【技術分野】
【０００１】
本発明は、化学物質により汚染された土壌を浄化する汚染土壌の浄化方法に関する。
【背景技術】
【０００２】
近年、ダイオキシン、環境ホルモン、農薬類等の、微量でも人体に悪影響を及ぼすような化学物質や、あるいは重油等の油による汚染が深刻化している。また、トリクロロエチレン、テトラクロロエチレン等の有機塩素化合物は、洗浄剤として広く使用されているが、発癌性物質である疑いがあるため、これら有機塩素化合物による土壌、地下水等の汚染が大きな社会問題となっている。さらには、重金属あるいは放射性物質による土壌の汚染についても大きな社会問題となっていることは万人の知るところである。
【０００３】
従来、化学物質、特に有機塩素化合物で汚染された土壌、地下水等の処理方法としては、汚染土壌の封じ込め処理、加熱分解法、土壌洗浄法、微生物を用いた分解法、汚染土壌の掘削・封じ込め処理、揚水爆気や真空抽気と活性炭吸着処理等とを組み合わせた揚水処理法などが主に行われている。
【０００４】
放射性物質汚染土壌の洗浄処理方法としては、一般に、分級処理とフローテーション処理を利用した方法が採用されている。例えば、汚染土壌を湿式ふるい分級処理して粗粒子分を分離して、スラリー状の土砂とし、この土砂をハイドロサイクロン処理して砂分と汚染物質を含む細粒子分とに分級処理してさらに分級し、砂分をフローテーション処理によって発生させたフロスを分離することにより洗浄し（洗浄工程）、洗浄工程の洗浄砂に含まれる放射性物質を放射性物質抽出薬剤の溶液により抽出し、さらに濃度の低い低濃度洗浄砂を脱水処理により得、前記細粒子を吸着剤とし、この細粒子分を用いてフロスと処理溶液とから放射性物質を除去し、凝集沈殿させて沈殿汚泥と水とに分離し、濃縮残渣と処理水とに分離する吸着工程とを有する洗浄処理方法(特許文献１)が知られている。
【０００５】
重金属等の非放射性物質による汚染土壌の浄化方法としては、分級と洗浄により土壌全体から有害成分（重金属など）及びそれを濃集する粘土などの微細粒子を分離・分別し、汚染土壌の量を減容する、土壌分級・洗浄法と呼ばれる土壌浄化技術が知られている。ところが、通常の分級・洗浄方法では、大粒の粒子の表面に微細粒子が付着するため、分級・洗浄が効率的に進行しないという難点があった。
【０００６】
放射線物質、重金属等の非放射性物質に用いられるこのような分級・洗浄効果の改善には、表面研磨法などの物理的な方法の効率の向上が必要であり、このような効率向上のために機械・装置の工夫がなされてきた(例えば、特許文献２)。
【先行技術文献】
【特許文献】
【０００７】
【特許文献１】特開２０１３−９２４２８号公報
【特許文献２】特開２００７−５０３４７号公報
【発明の概要】
【発明が解決しようとする課題】
【０００８】
上記表面研磨法は、汚染土壌を、表面研磨法により土壌粒子表面を研磨して、表面に付着している汚染物質を除去する方法であり、放射線物質、重金属等の非放射性物質等のあらゆる化学物質の除去に有効であることが知られている。表面研磨法を用いる土壌の浄化方法では、土壌粒子表面から表面研磨により剥離した汚染物質が、水に溶解あるいは研磨で生じた細粒分に濃縮され、研磨処理後に分級して水及び細粒分を分離除去して、洗浄処理された土壌(粗粒)を得る。しかしながら、このような方法では、上記研磨の処理中に、剥離した汚染物質の一部が処理土壌に再付着し、所望の浄化効果が得られない場合があることが明らかとなった。
【０００９】
従って、本発明の目的は、汚染物質により汚染された土壌から、表面研磨法により、汚染物質の再付着を防止しながら、効率よくこの汚染物質を除去することができる汚染土壌の浄化処理する方法を提供することにある。
【課題を解決するための手段】
【００１０】
前記の目的は、汚染された土壌を表面研磨することにより汚染物質を除去する汚染土壌の浄化方法であって、
汚染土壌の表面研磨を吸着剤の存在下に行うことを特徴とする汚染土壌の浄化方法により達成することができる。
【００１１】
上記本発明の汚染土壌の浄化方法における好ましい態様を以下に列記する。
【００１２】
（１）吸着剤が粒子あり、その吸着剤粒子のメジアン径（ｄ９０）（一般に吸着剤粒子が９０％通過する篩径）が、表面研磨処理後に回収される洗浄処理土壌の最小粒径より小さいことが好ましく、さらに５μｍ以上、特に１０μｍ以上小さいことが好ましい。上記メジアン径（ｄ９０）は粒子径分布測定装置により測定することができる。
【００１３】
（２）吸着剤粒子のメジアン径（ｄ９０）（一般に吸着剤粒子が９０％通過する篩径）が、３０〜６０μｍの範囲である。特に、吸着剤の粒径範囲が７５μｍ以下であることが好ましく、特に１０〜７５μｍであることが好ましい。
【００１４】
（３）汚染された土壌の汚染物質が、農薬、重金属、油及び放射線物質から選択される少なくとも１種である。一般に、農薬、有機塩素化合物等の有機化合物には活性炭が、六価クロム、ヒ素、鉛、水銀及びカドミウム等の重金属、フッ素、ホウ素並びに放射線物質には、ゼオライト等の粘土鉱物が、吸着剤として使用される
【００１５】
（４）汚染土壌の表面研磨を乾式又は湿式で行う。湿式の方が汚染物質の除去効率が一般に高い。
【００１６】
（５）汚染土壌の表面研磨を行う前に、汚染土壌を分級処理して、吸着剤粒子のメジアン径（ｄ９０）より５μｍ以上大きな粒子の処理土壌を得、これを表面研磨する。
【発明の効果】
【００１７】
本発明の汚染土壌の浄化方法では、汚染物質により汚染された土壌の表面研磨を吸着剤の存在下に行うことにより、汚染物質により汚染された土壌から除去された汚染物質が浄化された土壌に再付着することを防止している。これにより、効率よく汚染物質を除去して汚染土壌を浄化処理することができる。
【図面の簡単な説明】
【００１８】
【図１】図１は、本発明で使用することができるシャフトレスミキサーの１例の斜視図である。
【図２】図２は、本発明で使用することができる混練造粒機の１例の斜視図である。
【図３】図３は、本発明で使用することができる磨砕機の１例の斜視図である。
【図４】図４は、本発明で使用することができるモルタルミキサーの１例の斜視図である。
【図５】図５は本発明で使用することができるサンドポンプを用いるポンプ循環洗浄機の１例の斜視図である。
【図６】図６は、実施例１の各処理時間に対するＢＨＣ含有量及び低減率のグラフである。
【図７】図７は、比較例１の各処理時間に対するＢＨＣ含有量及び低減率のグラフである。
【図８】図８は、実施例２の各処理時間に対するＢＨＣ含有量及び低減率のグラフである。
【図９】図９は、比較例２の各処理時間に対するＢＨＣ含有量及び低減率のグラフである。
【発明を実施するための形態】
【００１９】
本発明の汚染土壌の浄化方法は、化学物質等に汚染された土壌を表面研磨することにより土壌表面又はその近傍の汚染物質を除去するものであるが、この汚染土壌の表面研磨を、吸着剤の存在下（吸着剤の添加等により）に行なうことを特徴としている。
【００２０】
本発明の汚染土壌の浄化方法は、一般に、乾式法又は湿式法で行なわれる。乾式法は、例えば以下のように行なうことができる。
【００２１】
まず、汚染物質により汚染された土壌を用意し、これを表面研磨機に投入し、次いで、吸着剤を添加する。あるいは、汚染土壌と吸着剤とを別の容器にとり、これを表面研磨機に投入する。その後表面研磨機で撹拌を開始する。
【００２２】
表面研磨機としては、例えば、シャフトレスミキサー(例、(株)北川鉄工所製のシャフトレスミキサジクロス)、混練造粒機(例、(株)北川鉄工所製の混練造粒機ペレガイア)、磨砕機（例、コトブキ技研工業(株)製の磨砕機ハスラー）、モルタルミキサー等を挙げることができる。
【００２３】
図１にシャフトレスミキサーの１例の斜視図、図２に混練造粒機の１例の斜視図、図３に磨砕機の１例の斜視図、及び図４にモルタルミキサーの１例の斜視図を示す。
【００２４】
図１のシャフトレスミキサーでは、汚染土壌を表面研磨するために螺旋アーム１１が用いられ、螺旋アーム１１により吸着剤を含む汚染土壌が撹拌され、汚染土壌の表面が研磨される。シャフトがないため、撹拌研磨速度が向上する。
【００２５】
図２の混練造粒機では、スイング式のブレード２２上に、吸着剤を含む汚染土壌が投入され、多段ロータ２１により撹拌され、汚染土壌の表面が研磨される。スイング式のブレード２２により汚染土壌の圧縮とかき上げが繰り返され、また多段ロータ２１の高速回転により汚染土壌が均一に撹拌される。ブレード２２と多段ロータ２１の両方の作用により研磨効果が増大する。
【００２６】
図３の磨砕機では、ホッパー３４から汚染土壌及び吸着剤が磨砕室３３に投入され、ロータ３１で撹拌され、汚染土壌の表面が研磨される。投入時に吸着剤を含む汚染土壌が相互に衝突するため、研磨効果が増大する。
【００２７】
図４のモルタルミキサーでは、汚染土壌及び吸着剤が容器４３に投入され、主軸４２で固定された羽根４１で撹拌される。主軸４２は容器４３の内部で時計まわりに回転し、羽根４１は反時計回りに回転することにより、容器４３内の汚染土壌と吸着剤がムラなく混練される。これにより汚染土壌の表面が研磨される。
【００２８】
上記各表面研磨機の撹拌により、汚染土壌の表面研磨機が行われることが好ましい。この撹拌中に、表面研磨で除去された汚染物質は吸着剤に吸着されるため、除去された汚染物質が再び浄化された土壌に吸着することはほとんどない。
【００２９】
上記各表面研磨機の撹拌速度等の設定は、汚染土壌及び吸着剤の投入量、性状を考慮して適宜設定することができる。装置により異なるが、例えば、撹拌の回転数は、一般に１００〜２００ｒｐｍの範囲である。
【００３０】
吸着剤の例としては、粘土鉱物(例、ゼオライト、カオリン鉱物、 雲母粘土鉱物、 スメクタイト（モンモリロナイト）)、活性アルミナ、モレクラーシーブ、活性炭、白土、酸化鉄、マグネシア、シリカゲル等を挙げることができる。粘土鉱物、活性炭が好ましく、特に、農薬、有機塩素化合物等の有機化合物には活性炭が、六価クロム、ヒ素、鉛、水銀及びカドミウム等の重金属、フッ素、ホウ素並びに放射線物質には、ゼオライト等の粘土鉱物、特にゼオライトが、吸着剤として使用するのが好ましい。
【００３１】
ゼオライトの好ましい骨格構造としては、構造コードで、ＬＴＡ、ＦＥＲ、ＭＷＷ、ＭＦＩ、ＭＯＲ、ＬＴＬ、ＦＡＵ、ＢＥＡ等を挙げることができる。好ましい市販品としては、ゼオライトスラリーＺＥＯＳ（（株）アステック東京製）を挙げることができる。活性炭は、その原料として、石炭系（泥炭、亜炭、かつ炭、瀝青炭等）、木質系（ヤシ殻、木材、おが屑）、その他（石油ピッチ、合成樹脂（高分子）、各種有機灰等）を挙げることができ、石炭系、木質系が好ましく、特に石炭系が好ましい。活性炭の形状は、基本的には粒状活性炭、粉末活性炭、繊維状活性炭に大別され、本発明では、粉末活性炭（直径２ｎｍ以下のマイクロポア、直径２〜５０ｎｍのメソポア及び５０ｎｍを超えるマクロポアを一般に有す。直径２〜５０ｎｍのメソポア及び５０ｎｍを超えるマクロポアが主であることが好ましい）が好ましい。好ましい市販品としては、ＤＣＰ−３０（ダイネン（株）製）を挙げることができる。本発明の活性炭としては、直径２〜５０ｎｍのメソポアの細孔容積(ＢＪＨ法より測定)が０．０３ｍｌ／ｇ以上、０．０６ｍｌ／ｇ以上であり、５０ｎｍを超えるマクロポアの細孔容積(ＤＨ法より測定)が０．１０ｍｌ／ｇ以上、特に０．１３ｍｌ／ｇ以上であるものが好ましい。
【００３２】
吸着剤の添加量は、汚染土壌１００質量部に対して０．１〜１０質量部、さらに０．２〜５質量部、特に０．５〜２質量部が好ましい。この質量範囲にて汚染物質の高い吸着効果が得られ易い。
【００３３】
吸着剤は一般に粉末状であり、その吸着剤粒子のメジアン径（ｄ９０）（一般に吸着剤粒子が９０％通過する篩径）が、洗浄処理土壌の最小粒径より小さいことが好ましく、さらに５μｍ以上、特に１０μｍ以上小さいことが好ましい。これにより、浄化した土壌と、吸着剤粒子とを、容易に分離することができる。
【００３４】
吸着剤粒子のメジアン径（ｄ９０）が、一般に３０〜６０μｍである。さらに、吸着剤の粒径範囲が７５μｍ以下であることが好ましく、特に１０〜７５μｍであることが好ましい。これにより、浄化した土壌と、吸着剤粒子とを、容易に分離することができるとともに、汚染物質を効率よく吸着することができる。
【００３５】
汚染土壌は、吸着剤粒子のメジアン径（ｄ９０）より大きくするために、表面研磨を行う前に分級処理して、５０μｍ以上、特に５０〜７５μｍのメジアン径（ｄ９０）とすることが好ましい。
【００３６】
分級処理は、例えば、以下のように行うことができる。
【００３７】
湿式ふるい装置を用いて、汚染土壌から粗粒子分を分離し、スラリー状とする。湿式ふるい装置は、振動ふるいや超音波ふるい、比重選別等により、異物を選別して、礫・粗砂とそれ以下のスラリー状の粒子とに分級するものであり、網面を内部に備えている。この湿式ふるい装置には、市販又は公知の装置を使用することができる。
【００３８】
さらに、必要により、スラリー状の粒子を、ハイメッシュセパレータを用いて、砂分(粒子)と汚染物質を含む細粒子分とに分級処理してもよい。このハイメッシュセパレータは、傾斜したタンク内の主軸に取り付けたスパイラル状の羽根の下部半円がタンク内に収まるように設置されており、このタンクに泥水スラリーを投入し、投入した状態で羽根を回転させることにより沈殿物はタンク上部に掻き揚げ、浮遊物はタンク後部よりオーバーフローさせながら連続的に砂分（土分）を回収し細粒分を除去する。
【００３９】
また、スラリー状の粒子を、ハイメッシュセパレータの代わりにハイドロサイクロンを用いて、砂分(粒子)と汚染物質を含む細粒子分とに分級処理してもよい。このハイドロサイクロンは、例えば円筒底部が円錐型をした構造の容器からなり、土砂と水を混ぜたスラリーを導入する上部流入口と、アンダーフローを取り出す下部流出口と、オーバーフローを取り出す上部流出口とを備えている。上部流入口から入ったスラリー状の土砂は、円筒容器の円周方向に高速で供給されることにより、回転運動を起こし、回転流となって、円錐頂部に向かって進む。この時、スラリー中の比重の重い粒子は遠心力により周壁に集まり、次第にアンダーフロー出口（下部流出口）に向かい、濃縮して排出される。一方、液体と比重の軽い粒子は、円筒容器の中央部を渦流となって上昇し、オーバーフロー出口（上部流出口）から排出される。
【００４０】
上記ハイメッシュセパレータ、ハイドロサイクロンには、市販又は公知の装置を使用することができる。汚染物質は細粒子分に付着・吸着しているため、ハイメッシュセパレータ、ハイドロサイクロンで分級することによりある程度汚染物質を洗浄処理土から除去することも可能である。
【００４１】
表面研磨の後に、得られた浄化した土壌を、さらに分級する場合も、上記の分級方法を利用することができる。
【００４２】
本発明の汚染土壌の浄化を湿式法で行なう場合は、例えば以下のように行われる。
【００４３】
まず、汚染物質により汚染された土壌を用意し、この汚染土壌と水を表面研磨機に投入し、次いで、吸着剤を添加する。あるいは、汚染土壌と吸着剤とを別の容器にとり、これを水が満たされた表面研磨機に投入する。その後撹拌を開始する。
【００４４】
湿式用の表面研磨機としては、例えば、サンドポンプを用いるポンプ循環洗浄機を挙げることができる。
【００４５】
図５にサンドポンプを用いるポンプ循環洗浄機の斜視図の1例を示す。図５の循環洗浄機では、洗浄機の容器内に汚染土壌５５と吸着剤の水分散液が充填されており、容器の中央にサンドポンプ５２が設けられ、これをまたいで且つ分散液内に入るように循環用配管５１が配置されている。上記水分散液が、サンドポンプ５２を運転することにより、上記水分散液が循環用配管５１内を循環する。サンドポンプ５２の内部はその内壁よりへら状の突起物が多数存在し、これにより主として汚染土壌５５の表面研磨が行われる。このように土壌の砂粒子は回転する突起物（羽根）により研磨されると同時に、循環用配管５１内を流れる過程で砂粒子同士が衝突することによっても研磨が行われる。
【００４６】
そして表面研磨で除去された汚染物質は吸着剤に吸着されるため、除去された汚染物質が再び浄化された土壌に吸着することはほとんどない。
【００４７】
上記ポンプ循環洗浄機の流速等の設定は、水、汚染土壌及び吸着剤の投入量、性状を考慮して適宜設定することができる。装置により異なるが、例えば、ポンプによる循環は、一般に１分間当たり１０〜３０回、特に１５〜２５回の範囲で行われる。
【００４８】
汚染土壌と水との割合は、水１００質量部に対して汚染土壌５〜１００質量部、さらに２０〜８０量部、特に５０〜７５質量部が好ましい。
【００４９】
吸着剤の添加量は、汚染土壌１００質量部に対して０．１〜１０質量部、さらに０．２〜５質量部、特に０．５〜２質量部が好ましい。この質量範囲にて汚染物質の高い吸着効果が得られ易い。
【００５０】
吸着剤及び汚染土壌に関する粒径、材料等の詳細は、前述の乾式法の説明で述べた通りである。
【００５１】
汚染された土壌の汚染物質としては、農薬、重金属、油及び放射線物質等を挙げることができる。一般に、農薬、有機塩素化合物等の有機化合物には活性炭が、六価クロム、ヒ素、鉛、ヒ素及びカドミウム等の重金属、フッ素、ホウ素並びに放射線物質にはゼオライト等の粘土鉱物が、吸着剤として使用することが好ましい。
【実施例】
【００５２】
［実施例１］
ＰＯＰｓ農薬であるベンゼンヘキサクロリド（ＢＨＣ：土壌環境指針値＝５０ｍｇ／ｋｇ）で汚染された土壌３．８ｋｇを、湿式ふるい装置(電磁式振とう機ＡＳ２００；（株）レッチェ製)を用いた分級処理により粒径範囲０．０７５〜２ｍｍの土壌（ＢＨＣ含有量＝２１３ｍｇ／ｋｇ）１．６ｋｇを得た。
【００５３】
得られた分級処理した土壌１．０ｋｇ（乾燥質量０．７５ｋｇ）を、図４に示したモルタルミキサーに投入し、さらに吸着剤として石炭系活性炭（ＤＣＰ−３０（ダイネン（株）製）０．０１５ｋｇ（土壌乾燥質量の２％）を添加した。これらをモルタルミキサーで撹拌し、研磨処理を行った。上記ＤＣＰ−３０は、粒径範囲０．０７５ｍｍ以下（ｄ９０=０．０４５ｍｍ）、直径2〜50nmのメソポアの細孔容積(ＢＪＨ法より測定)０．０６ｍｌ／ｇ以上、50nmを超えるマクロポアの細孔容積(ＤＨ法より測定)０．１３ｍｌ／ｇ以上を有する。
【００５４】
モルタルミキサー（寸法：Ｗ３０×Ｄ４０×Ｈ７５ｃｍ（ＫＣ−０２９０、テスコ（株）製）、
羽根（寸法：長さ２０ｃｍ、幅１５ｃｍの木の葉型パドル、回転数：１２６ｒｐｍ（回転/分）。
【００５５】
研磨処理の時間を２０分、４０分、６０分と行い、それぞれのＢＨＣ含有量を測定した。
【００５６】
［比較例１］
吸着剤を使用しない以外は、実施例１と同様に研磨処理を行った。研磨処理の時間を２０分、４０分、６０分と行い、それぞれのＢＨＣ含有量を測定した。
【００５７】
実施例１及び比較例１の結果を表１に示す。
【００５８】
【表１】
0006316118.tif 000002
【００５９】
上記表１の実施例１の各処理時間に対するＢＨＣ含有量及び低減率のグラフを図６に、表１の比較例１の各処理時間に対するＢＨＣ含有量及び低減率のグラフを図７に示す。
【００６０】
［実施例２］
ＰＯＰｓ農薬であるベンゼンヘキサクロリド（ＢＨＣ：土壌環境指針値＝５０ｍｇ／ｋｇ）で汚染された土壌７．５ｋｇを、湿式ふるい装置(電磁式振とう機ＡＳ２００；（株）レッチェ製を用いた分級処理により粒径範囲０．０７５〜２ｍｍの土壌（ＢＨＣ含有量＝４８３ｍｇ／ｋｇ）３．２ｋｇを得た。
【００６１】
まず水４．０ｋｇを図５に示したサンドポンプを用いるポンプ循環洗浄機に投入し、上記で得られた分級処理した土壌２．８ｋｇ（乾燥質量２．１ｋｇ）、さらに吸着剤として実施例1で用いた石炭系活性炭（ＤＣＰ−３０（ダイネン（株）製）０．０４２ｋｇ（土壌乾燥質量の２％）を添加した。これらをポンプ循環洗浄機で撹拌し、研磨処理を行った。
【００６２】
ポンプ循環洗浄機（小型泥水ポンプＰＳＫ−６３２１０、（株）工進製；口径：３２ｍｍ、吐出量：１４０Ｌ/分）、循環用配管（ポリ塩化ビニル製、内径：３２ｍｍ、長さ：１５０ｃｍ）、
【００６３】
研磨処理の時間を２０分、４０分、６０分と行い、それぞれのＢＨＣ含有量を測定した。
【００６４】
［比較例２］
吸着剤を使用しない以外は、実施例２と同様に研磨処理を行った。研磨処理の時間を２０分、４０分、６０分と行い、それぞれのＢＨＣ含有量を測定した。
【００６５】
実施例２及び比較例２の結果を表２に示す。
【００６６】
【表２】
0006316118.tif 000003
【００６７】
上記表２の実施例２の各処理時間に対するＢＨＣ含有量及び低減率のグラフを図８に、表２の比較例２の各処理時間に対するＢＨＣ含有量及び低減率のグラフを図９に示す。
【００６８】
上記表１及び２の結果及び図６〜９から、本発明の吸着剤を使用した場合の表面研磨による汚染物質の除去が短時間で行えることが分かる。また、実施例１と実施例２を比較すると湿式法である実施例２の方がより優れた汚染物質の除去効果を有することが分かる。
【符号の説明】
【００６９】
１１  螺旋アーム
２１  多段ロータ
２２  スイング式のブレード
３１  ロータ
３３  磨砕室
３４  ホッパー
４１  羽根
４３  容器
５１  循環用配管
５２  サンドポンプ
５５  汚染土壌
【図１】
0006316118.tif 000004
【図２】
0006316118.tif 000005
【図３】
0006316118.tif 000006
【図４】
0006316118.tif 000007
【図５】
0006316118.tif 000008
【図６】
0006316118.tif 000009
【図７】
0006316118.tif 000010
【図８】
0006316118.tif 000011
【図９】
0006316118.tif 000012